(57)【特許請求の範囲】
【請求項１】
海底に係留された石油掘削船にウィンチを介し引寄せ用ロープで引き寄せられるブイと、同ブイに先端を着脱可能に取付けられるようにして上記石油掘削船から繰出し可能に設けられた石油送出用フレキシブルホースと、上記石油掘削船から水平方向に離隔した位置で海底に設置されたシンカーと、同シンカーに一端を係止されるとともに他端を上記ブイに係止された係留索とをそなえ、同係留索が、上記引寄せ用ロープによる上記ブイの上記石油掘削船への引寄せ状態で緊張し、上記引寄せ用ロープの繰出しに対応した同係留索の弛緩に伴って上記ブイを上記石油掘削船から離隔させるように、同係留索の長さおよび重さを設定されていることを特徴とする、洋上石油積出し設備。
【発明の詳細な説明】
【０００１】
【発明の属する技術分野】
本発明は、洋上で石油掘削船からタンカーへ石油を積出すための設備に関する。
【０００２】
【従来の技術】
従来の洋上石油積出し設備としては図５（平面図）に示すようなものがあり、石油掘削船１から繰出し可能に設けられた石油送出用フレキシブルホース２と、同ホース２の先端に接続された先取りロープ３を引いて輸送用タンカー５へ到達させるための作業船４とをそなえている。
【０００３】
石油の積出しに際しては、作業船４により先取りロープ３を引いて、同ロープ３をタンカー５に引上げた後、タンカー５を徐々に掘削船１へ近づけてゆき、係船状態にする操作が行なわれる。そして、この状態でフレキシブルホース２を介し石油の積出し作業が行なわれる。
【０００４】
【発明が解決しようとする課題】
一般に、洋上における石油の積出しに際しては、図５に示すように、波，風および潮流による外力の作用する中で作業が実施されるが、作業船４は小さなボートであるため、海象状況によっては作業限界を超えてしまい、作業ができなくなることがある。
【０００５】
また、作業船４がタンカー５に連絡できたとしても、石油掘削船１とタンカー５との相互干渉などで衝突したりして、危険な状態になることもある。
【０００６】
このことは、石油積出し時の稼働率を低下させる要因となり、石油生産システム全体として大きな問題となる。
【０００７】
そこで、本発明は、石油掘削船から石油輸送用タンカーへの連絡のための作業船を不要にして、厳しい海象状況でも石油の積出しを安全に行なえるようにした洋上石油積出し設備を提供することを課題とする。
【０００８】
【課題を解決するための手段】
前述の課題を解決するため、本発明の洋上石油積出し設備は、海底に係留された石油掘削船にウィンチを介し引寄せ用ロープで引き寄せられるブイと、同ブイに先端を着脱可能に取付けられるようにして上記石油掘削船から繰出し可能に設けられた石油送出用フレキシブルホースと、上記石油掘削船から水平方向に離隔した位置で海底に設置されたシンカーと、同シンカーに一端を係止されるとともに他端を上記ブイに係止された係留索とをそなえ、同係留索が、上記引寄せ用ロープによる上記ブイの上記石油掘削船への引寄せ状態で緊張し、上記引寄せ用ロープの繰出しに対応した同係留索の弛緩に伴って上記ブイを上記石油掘削船から離隔させるように、同係留索の長さおよび重さを設定されていることを特徴としている。
【０００９】
上述の本発明の洋上石油積出し設備では、石油の積出しに際し、海底に係留された石油掘削船に引寄せられているブイが、その引寄せ用ロープの繰出しに伴って、同ブイの係留索の緊張を弛緩させるようにしながら上記石油掘削船から遠ざかるように移動するので、同ブイへの石油輸送用タンカーの接近が、上記石油掘削船との干渉を招くことなく容易に行なわれるようになり、同ブイと上記石油掘削船とを連絡する石油送出用フレキシブルホースを用いて、上記石油掘削船から上記タンカーへの石油積出しが荒天でも支障なく行なわれるようになる。
【００１０】
【発明の実施の形態】
以下、図面により本発明の一実施形態としての洋上石油積出し設備について説明すると、図１はその石油掘削船へのブイ引寄せ状態を示す立面図、図２は上記設備の平面図、図３はその作用状態を示す立面図、図４は図３の作用状態の要部を上方からみた平面図である。
【００１１】
図１，２に示すように、海底に係留索６で係留された石油掘削船１に、海面に浮くブイ７がウィンチ12（図３，４参照）を介し引寄せ用ロープ11で引寄せられるようになっており、同ブイ７には石油掘削船１から繰出し可能に設けられた石油送出用フレキシブルホース９の先端が着脱可能に取付けられている。
【００１２】
また、ブイ７は、石油掘削船１から水平方向に離隔した位置で海底に設置されたシンカー13に、係留索８を介し係留されるようになっている。
【００１３】
そして、ブイ７の係留索８は、同ブイ７の石油掘削船１への引寄せ状態で緊張するようになっており、図３，４に示すごとく、引寄せ用ロープ11の繰出しに対応した係留索８の弛緩に伴ってブイ７を石油掘削船１から離隔させるように、同係留索８の長さおよび重さが設定されている。
【００１４】
すなわち、なお係留索８としては、その長さについて適切な設定が行われるほか、その単位長さ当たりの重量の大きいものが用いられ、チェーンを用いるようにしてもよい。
上述の本実施形態の洋上石油積出し設備では、石油の積出しに際し、海底に係留された石油掘削船１に引寄せられているブイ７が、その引寄せ用ロープ11の繰出しに伴って、同ブイ７の係留索８の緊張を弛緩させるようにしながら石油掘削船１から遠ざかるように移動するので、同ブイ７への石油輸送用タンカー５の接近が、石油掘削船１との干渉を招くことなく容易に行なわれるようになり、同ブイ７と石油掘削船１とを連絡する石油送出用フレキシブルホース９を用いて、石油掘削船１からタンカー５への石油積出しが荒天でも支障なく行なわれるようになる。したがって、本設備の稼働率の大幅な向上が期待される。
【００１５】
なお、タンカー５がブイ７に接近した際に、同ブイ７は、図３，４に示すタンカー５のクレーン10を用いて同タンカー上に引き上げられる。
【００１６】
そして、ブイ７からフレキシブルホース９が切離されて、タンカー５の石油荷役ラインに接続される。
【００１７】
このようにして、石油掘削船１から石油輸送用タンカー５への石油の積出し作業が終了すると、ブイ７に再びフレキシブルホース９が取付けられ、同ブイ７をクレーン10で海面に降ろす操作が行なわれる。
【００１８】
そして、ブイ７は、石油掘削船１のウィンチ12により、引寄せ用ロープ11を介し同石油掘削船１へ引寄せられて図１，２に示す状態とされ、これに伴いブイ７の係留索８は再び緊張状態になる。
【００１９】
【発明の効果】
以上詳述したように、本発明の洋上石油積出し設備によれば次のような効果が得られる。
(1) 石油の積出しに際し、海底に係留された石油掘削船に引寄せられているブイが、その引寄せ用ロープの繰出しに伴って、同ブイの係留索の緊張を弛緩させるようにしながら上記石油掘削船から遠ざかるように移動するので、同ブイへの石油輸送用タンカーの接近が、上記石油掘削船との干渉を招くことなく容易に行なわれるようになり、同ブイと上記石油掘削船とを連絡する石油送出用フレキシブルホースを用いて、上記石油掘削船から上記タンカーへの石油積出しが荒天でも支障なく行なわれるようになる。
(2) 上記(1)項により本設備の稼働率の大幅な向上が期待される。
【図面の簡単な説明】
【図１】  本発明の一実施形態としての洋上石油積出し設備のブイ引寄せ状態を示す立面図である。
【図２】  図１の設備の平面図である。
【図３】  図１，２の設備の作用状態を示す立面図である。
【図４】  図３の作用状態の要部を上方かみた平面図である。
【図５】  従来の洋上石油積出し設備の一例を示す平面図である。
【符号の説明】
１  石油掘削船
２  石油送出用フレキシブルホース
３  先取りロープ
４  作業船
５  石油輸送用タンカー
６  係留索
７  ブイ
８  係留索
９  石油送出用フレキシブルホース
10  クレーン
11  引寄せ用ロープ
12  ウィンチ
【図１】
0003690898.tif 000002
【図２】
0003690898.tif 000003
【図３】
0003690898.tif 000004
【図４】
0003690898.tif 000005
【図５】
0003690898.tif 000006